(57)【要約】【課題】本発明は、受信側リモコン近傍に人がいなくても、また、受信側リモコンが騒音環境下にあっても、送信側のメッセージを受信側に伝えることができる給湯システムを提供することを目的とする。【解決手段】  上記の課題は、水を沸かす熱源と、該熱源を制御する制御手段と、浴室に取り付けられ、文字入力手段を備えた第１のリモコンと、浴室以外に取り付けられ、文字表示手段を備えた第２のリモコンと、を有した給湯システムであって、前記文字表示手段には、前記文字入力手段で入力された文字が表示される給湯システムによって解決される。【選択図】図４Ｃ
2017048933.tif 000002
【特許請求の範囲】
【請求項１】
水を沸かす熱源と、
該熱源を制御する制御手段と、
浴室に取り付けられ、文字入力手段を備えた第１のリモコンと、
浴室以外に取り付けられ、文字表示手段を備えた第２のリモコンと、
を有した給湯システムであって、
前記文字表示手段には、前記文字入力手段で入力された文字が表示されることを特徴とする給湯システム。
【請求項２】
請求項１に記載の給湯システムにおいて、
前記第１のリモコンの文字入力手段は、マイク、キーボード、タッチパネル、定型文選択の何れかであることを特徴とする給湯システム。
【請求項３】
請求項１または２に記載の給湯システムにおいて、
前記第２のリモコンには、前記第１のリモコンから第２にリモコンにメッセージが送信されたことを報知する報知手段が設けられていることを特徴とする給湯システム。
【請求項４】
請求項１または２に記載の給湯システムにおいて、前記第２のリモコンから第１にリモコンに既読を報知できることを特徴とする給湯システム。
【発明の詳細な説明】
【技術分野】
【０００１】
本発明は、風呂リモコンと台所リモコンとの間でコミュニケーションを図ることができる給湯システムに関する。
【背景技術】
【０００２】
従来より、風呂リモコンと台所リモコンとの間で通話によるコミュニケーションを図ることができる給湯システムが知られている。
【０００３】
例えば、引用文献１の要約には、「給湯機本体１と各リモコン２，３を有する給湯機Ｂは、音声送受信部２２，３２と通信送受信部１１，２１，３１と信号制御部１３，２３，３３を備える。音声送受信部２２，３２は各リモコン２，３間で音声信号搬送波Ｃ３による音声通信を行う。通信送受信部１１，２１，３１は、音声信号搬送波Ｃ３から離れた周波数Ｆ１の第１搬送波Ｃ１又は音声信号搬送波Ｃ３に近い周波数Ｆ２の第２搬送波Ｃ２によるデータ通信を行う。信号制御部１３，２３，３３は、音声通信無し期間では給湯機本体１と各リモコン２，３間で第２搬送波Ｃ２によるデータ通信を行い、音声通信有り期間では、給湯機本体１と各リモコン２，３間でデータ通信を第２搬送波Ｃ２から第１搬送波Ｃ１に切り替えて行うとともに、各リモコン２，３間で音声信号搬送波Ｃ３による音声通信を行うように制御する。」との開示がある。
【０００４】
また、特許文献２の要約には、「リモコン装置が通話機能を備えた給湯器システムにおいて、遠隔制御信号を送信する送信回路１を、マイコン２で生成される遠隔制御信号に対応したアナログ信号を発振する通信ＩＣ３と、マイコン２からの制御信号に応じて通信ＩＣ３と通信線とを短絡状態にするＰＩＮダイオード１１とで構成する。そして、遠隔制御信号の送信開始から送信終了までの間はＰＩＮダイオード１１を短絡状態に保持し、遠隔制御信号の送信中に通信線のインピーダンスが変化するのを防止する。また、ＰＩＮダイオード１１に与える制御信号は、ＲＣ回路１２を介することで、ＰＩＮダイオードの抵抗値が徐々に変化するようにし、インピーダンスの急激な変動を防止する。」との開示がある。
【先行技術文献】
【特許文献】
【０００５】
【特許文献１】特開２０１５−７０４４０号公報
【特許文献２】特開２０１４−１５０３０６号公報
【発明の概要】
【発明が解決しようとする課題】
【０００６】
上述した特許文献は、雑音を抑制する等、両リモコン間での通話品質を向上させるための構成等を開示するものの、コミュニケーションに音声を用いているため、例えば、送信側リモコンから受信側リモコンに呼びかけても、受信側リモコンの近傍に人がいない場合等は、コミュニケーションが図れない等の問題があった。また、受信側リモコン近傍に他の音声発生源があると、受信側リモコンのスピーカからの通話が聞き取れない場合もあった。
【０００７】
本発明は、受信側リモコン近傍に人がいなくても、また、受信側リモコンが騒音環境下にあっても、送信側のメッセージを受信側に伝えることができる給湯システムを提供することを目的とする。
【課題を解決するための手段】
【０００８】
本発明の給湯システムでは、上述の課題を解決するため、水を沸かす熱源と、該熱源を制御する制御手段と、浴室に取り付けられ、文字入力手段を備えた第１のリモコンと、浴室以外に取り付けられ、文字表示手段を備えた第２のリモコンと、を有した給湯システムであって、前記文字表示手段には、前記文字入力手段で入力された文字が表示されるものとした。
【発明の効果】
【０００９】
本発明の給湯システムによれば、受信側リモコン近傍に人がいなくても、また、受信側リモコン近傍が騒音環境化に置かれても、送信側のメッセージを伝えることができる。
【図面の簡単な説明】
【００１０】
【図１】一実施例の給湯機の構成図
【図２】一実施例の給湯器のブロック
【図３】一実施例の給湯器のリモコンの外観図
【図４Ａ】図２のリモコンの待機画面例
【図４Ｂ】図２のリモコンの待機画面例
【図４Ｃ】図２のリモコンの待機画面例
【図４Ｄ】図２のリモコンの待機画面例
【発明を実施するための形態】
【００１１】
以下、図面を用いて本発明の一実施例を説明する。
【実施例１】
【００１２】
図１は、本実施例の給湯システムの構成図であり、給湯機１１、リモコン装置６、ヒートポンプユニット１３、浴槽１５などからなる。なお、ここでは、ヒートポンプ式の給湯システムを例示するが、ガス給湯器を含む給湯システムであっても良い。
【００１３】
同図において、給湯機１１は電気給湯機であり、温水を貯湯する貯湯タンク１２と、貯湯タンク１２に貯湯するための水を加熱する熱源であるヒートポンプユニット１３とを備え、この給湯機１１へは、給水源(例えば、水道管１９)からの給水が配管２０を経て供給される。具体的には、給湯機１１は、給水源から供給された低温水をヒートポンプユニット１３で加熱して温水を生成し、生成された温水を貯湯タンク１２に貯溜するものである。即ち、給湯機１１は、貯湯タンク１２を備えるタンクユニット１６と、ヒートポンプユニット１３とを備えて構成される。
【００１４】
また、給湯機１１は、水道管１９からの低温水を貯湯タンク１２内の温水と熱交換させて加熱し給湯用の温水を生成する給湯熱交換器１４を備える。この場合、貯湯タンク１２は、低温水と熱交換させる熱媒体としての温水を貯蔵する貯蔵タンクとして機能する。また、給湯機１１は、浴槽１５内から導出したふろ水を貯湯タンク１２内の温水と熱交換させ加熱する追いだき熱交換器１８を備える。さらに、給湯機１１は、湯はり、追いだき、給湯等を行うために利用者が操作するリモコン装置６と、このリモコン装置６からの操作指令等に従って給湯機１１全体を統括的に制御する本体側制御基板１０とを備える。なお、本実施例では、風呂側リモコン装置６Ａと台所側リモコン装置６Ｂの両者間でコミュニケーションを図る給湯システムを例示するが、三つ以上のリモコン装置間でコミュニケーションを図ることができるようにしても良い。
【００１５】
また、給湯機１１は、給湯端末に加熱された清水を供給する給湯回路と、浴槽１５から取り出した浴槽水を貯湯タンク１２に貯蔵される温水(この場合には、熱媒体として機能する)と追いだき熱交換器１８によって熱交換させて浴槽１５に戻す追いだき回路とを備える。
【００１６】
給湯回路には、温水を一般給湯端末(蛇口、シャワー等、本実施形態では、混合栓１７)に供給する一般給湯回路２１と、温水を浴槽に設けられる浴槽端末に供給する湯はり回路とが含まれる。また、前記給湯回路に供給される清水の供給源としては、水道管１９や井戸水等の外部の給水源の他、清水を貯溜する貯湯タンク１２が考えられる。
【００１７】
ここで、清水とは、利用者が直接接触し得る状態を未だ経ていない使用前の水を指すものであり、給水源からの水や貯湯タンク１２に貯溜されている水を含むものである一方、浴槽１５等に供給されたような汚れを含む使用後の水(特に、一度浴槽１５に供給されたふろ水)とは区別されるものである。
【００１８】
以下、給湯システムの主要部の構成について詳細に説明する。
【００１９】
図２は、本実施例の給湯システムの給湯機１１とリモコン装置６の主要部を示すブロック図である。ここに示すように、リモコン装置６の通信部３と給湯機１１側の通信部９との間で通信が行われる。また、図２には示していないが、通信部９には複数のリモコン装置６の通信部３が接続されるため、給湯機１１の通信部９を介して、複数のリモコン装置間で通信を行うことができる。
【００２０】
給湯機１１は、その給湯機１１に備えられている本体側制御基板１０と、その本体側制御基板１０との間でデータ通信を行い、給湯機１１を遠隔操作するリモコン装置６(リモートコントローラ)とを主要部として構成される。本体側制御基板１０は給湯機１１各部の動作を制御する為の本体側マイコン７と、このマイコン７での制御用データを記憶する本体側データ記憶手段８と、基板外部との通信用の通信部９とが主要部に備えられている。
【００２１】
一方、リモコン装置６は、人為操作を行う操作部４と、各種の情報を表示する表示部５と、動作を制御する為のリモコン側マイコン１と、データを記憶するためのマイコン内部記憶装置が備えられ、本体側制御基板１０が保有しているデータを記憶する為のリモコン側データ記憶手段２と、本体側制御基板１０と通信を行う通信部３とを主要部として備えている。
【００２２】
図３は、リモコン装置６の外観を示す図である。ここでは、風呂側リモコン装置６Ａと台所側リモコン装置６Ｂが同等として説明を行うが、表示部５、通話ボタン６１、マイク６２、メニューボタン６３、カーソルボタン６４、スピーカ６５を少なくとも備えるものであれば、両リモコン装置の構成が相違しても良い。
【００２３】
本実施例のリモコン装置６は、特許文献１、２のように、複数のリモコン装置６間で通話によるコミュニケーションを図ることができるのに加え、表示部５に表示される文字によってもコミュニケーションを図ることができるものである。
【００２４】
図４Ａは、両リモコン間でのコミュニケーションの一例であり、特許文献１、２と同様に、通話によるコミュニケーションを行う際の表示部５を示したものである。このコミュニケーションを行うには、通話ボタン６１を操作した後、マイク６２に話しかけることによって、送信側から受信側のスピーカ６５に音声を届けることができる。
【００２５】
図４Ｂは、両リモコン間でのコミュニケーションの他の例であり、例えば、風呂側リモコン装置６Ａから台所側リモコン装置６Ｂに「たおるもってきて」のメッセージを送りコミュニケーションを図るものである。このように、受信側の表示部５に文字情報を送信することによって、送信側にとっては受信側に人がいない場合であってもメッセージを送ることができるという利益があり、また、受信側にとっても送信されたメッセージを事後的に確認することができるという利益がある。なお、メッセージが送信された場合は、受信側のランプ６６を点滅させる等して、メッセージを受信した旨を報知できるようにしても良い。また、ここで示したように文字情報を用いてコミュニケーションすると、台所側リモコン装置６Ｂ近傍がテレビの音声等の騒音環境下にあっても図４Ａの例とは異なり、正確なコミュニケーションを図ることができるという利点もある。
【００２６】
なお、メッセージの入力方法としては、カーソルキー６４で文字を選択した入力方式にしても良いし、図示しないキーボード、あるいは、タッチパネルでもある表示部５を利用した入力方式としても良い。また、図４Ｃのように、予め用意された複数のメッセージから所望のものを選択する入力方式としても良い。
【００２７】
さらに、受信側でメッセージを読み終えた場合には、送信側の表示部５やランプ６６を用いて既読である旨を報知しても良い。
【００２８】
図４Ｄは、両リモコン間でのコミュニケーションの他の例であり、例えば、風呂側リモコン装置６Ａの通話ボタン６１を押した後、マイク６２に「タオル持ってきて」と話しかけると、その音声が解析され、台所側リモコン装置６Ｂに「たおるもってきて」のメッセージが表示されコミュニケーションを図るものである。図４Ｂ、図４Ｃでは、利用者の操作により文字列を入力する方式としたが、図４Ｃのようにすることで、送信側利用者のコミュニケーションの負担をさらに減らすことができる。
【００２９】
以上で説明した本実施例の給湯システムによれば、受信側リモコン近傍に人がいなくても、また、受信側リモコン近傍が騒音環境化に置かれても、送信側のメッセージを伝えることができる。
【符号の説明】
【００３０】
１・・・リモコン側マイコン
２・・・リモコン側データ記憶手段
３、９・・・通信部
４・・・操作部
５・・・表示部
６・・・リモコン装置
６Ａ・・・風呂側リモコン装置
６Ｂ・・・台所側リモコン装置
７・・・本体側マイコン
８・・・本体側データ記憶手段
１０・・・本体側制御基板
１１・・・給湯機
１２・・・貯湯タンク
１３・・・ヒートポンプユニット
１４・・・給湯熱交換器
１５・・・浴槽
１６・・・タンクユニット
１７・・・混合栓
１８・・・追いだき熱交換器
１９・・・水道管
２０・・・配管
２１・・・一般給湯回路
２２・・・配管
２３・・・第一取出部
２４・・・配管
２５・・・温度緩衝器
２６・・・配管
２７・・・配管
２８・・・給湯循環ポンプ
２９・・・給湯温度センサ
３０・・・タンク上部温度センサ
【図１】
2017048933.tif 000003
【図２】
2017048933.tif 000004
【図３】
2017048933.tif 000005
【図４Ａ】
2017048933.tif 000006
【図４Ｂ】
2017048933.tif 000007
【図４Ｃ】
2017048933.tif 000008
【図４Ｄ】
2017048933.tif 000009